(57)【要約】      （修正有）【課題】床取付け部分のゴミ溜まりがなく、該取付部の緩み止めも確実で水漏れもなくし、下流側から臭気の逆流も確実に防止することを図る。【解決手段】床面開口部Ｂを覆う蓋体１に、床面開口部Ｂに嵌挿される排水管Ｃが連結される排水管接続部３，３１  と、洗濯機排水ホースがホースジョイント６を介して連結されるホース接続部２とを設け、該ホース接続部２に形成した係合部１５に前記蓋体１を覆うパッキンホルダー１２を着脱自在に備えて前記蓋体１とホースジョイント６とを被覆一体化すると共に、蓋体１の排水管接続部３１  と前記ホースジョイント６とに嵌挿保持される上面開放で有底の封水筒体８が排水管Ｃ内に配備され、該封水筒体８の内部を入口側流路８１  と出口側流路８２  とに区画する仕切片９が有底側に流水用の連通開口１０を形成して垂下配備され、前記出口側流路８２  の封水筒体８の周壁上方位置に流出口１１を形成した。【選択図】              図１
2004244981.tif 000002
【特許請求の範囲】
【請求項１】
床面に取り外し可能に備えられて、床面開口部を覆う蓋体に、床面開口部に嵌挿される排水管が連結される排水管接続部と、洗濯機排水ホースがホースジョイントを介して連結されるホース接続部とを設け、該ホース接続部に形成した係合部に前記蓋体を覆うパッキンホルダーを着脱自在に備えて前記蓋体とホースジョイントとを被覆一体化すると共に、蓋体の排水管接続部と前記ホースジョイントとに嵌挿保持される上面開放で有底の封水筒体が排水管内に配備され、該封水筒体の内部を入口側流路と出口側流路とに区画する仕切片が有底側に流水用の連通開口を形成して垂下配備され、前記出口側流路の封水筒体の周壁上方位置に流出口を形成したことを特徴とする排水トラップ。
【請求項２】
請求項１に記載の排水トラップにおいて、前記前記蓋体とパッキンホルダーとの接合対面位置に凹凸面部よりなるロック機構を設けて係止結合した構成としたもので、蓋体とホースジョイントとの間にシールラバーリングのシール部材を介在配備したことを特徴とする排水トラップ。
【請求項３】
請求項１または２に記載の排水トラップにおいて、前記封水筒体が、カップ状のトラップ本体であって、筒体外周側面の段差部によって前記蓋体に形成された環状筒部の内方張出のフランジに嵌挿係止され、封水筒体上端の内外周面にホースジョイントを嵌合圧接配備されることを特徴とする排水トラップ。
【請求項４】
請求項１または２に記載の排水トラップにおいて、前記ホースジョイントが、エルボ管体で一端口部は前記ホース接続部に嵌挿され、かつ他端口部は洗濯機排水ホースに嵌挿される構成とし、エルボ管体外周に前記パッキンホルダーに圧接される円錐状のフランジ部を突設したことを特徴とする排水トラップ。
【請求項５】
請求項３または４に記載の排水トラップにおいて、前記蓋体が、蓋体の排水管接続部に嵌装保持される大径筒部の上縁に外方張出フランジを有し、かつ傾斜壁からなるテーパー筒部を介して、小径筒部を一体成形した異径ソケットを付設して排水管に流水用隙間をあけて嵌合配備したことを特徴とする排水トラップ。
【請求項６】
請求項５に記載の排水トラップにおいて、前記蓋体の排水管接続部の開口端外周にソケットを介して排水管を嵌合連結し、該排水管内に流水用の隙間をあけて、カップ状の封水筒体を垂下状態で前記蓋体の環状筒部に嵌挿係止されていることを特徴とする排水トラップ。
【請求項７】
請求項５または６に記載の排水トラップにおいて、前記蓋体を覆うパッキンホルダーが、中央にホースジョイントの嵌合孔を有し、周囲外方に張り出したカバーを備えた中空円筒体からなり、すべり防止用の凹凸面からなる回動操作部を外側に設け、シール面部のある筒部にスリットとネジ部とを備えたことを特徴とする排水トラップ。
【発明の詳細な説明】
【０００１】
【発明の属する技術分野】
本発明は、洗い場或いはバスルームやマンションの台所、洗面所、ベランダ或いは各種キャビネット内など床面の排水口に取り付けられる排水トラップ、特に洗濯機などの排水ホースを接続連結して用いられる排水トラップに関するものである。
【０００２】
【従来の技術】
従来の排水トラップは、ホースジョイントが設けられ、洗濯機の排水ホースと接続され、排水ホースから流出する廃水（汚水）を床下に配設した排水管に案内するために用いられており、廃水はホースジョイントから排水トラップ内に流れ込んで、排水管側へ送られる構造となっている。例えば、実用新案第２５２７３３７号公報での排水トラップでは、既存の排水管に対してトラップを簡単に形成できる組み込み式の排水トラップが提案されていて、この排水トラップを用いることで、通常の排水管に洗濯機の排水を流す場合でも臭気の逆流を防止することができる。
【０００３】
【発明が解決しようとする課題】
この従来の排水トラップは、床面に据え付けるのには開口部に取付ネジで蓋体を固定するためネジ部にほこり等のゴミ溜まりとなって汚れやすく不体裁となるし、手入れが面倒であり、またパッキンホルダーをねじ込み取り付けると緩み現象で外れたり、パッキンの機能をはたさなくなって水漏れや、溢水などが生じやすく床面が水浸しになり拭きとり作業を行わなくてはならない問題があった。
また、予め定められた管径の筒状部が下方向に突出しているので、この筒状部と排水管の管径が異なる場合、対応できず、製造作業や施工作業の複雑化や煩雑化を招くという問題があった。さらに、排水管の管径が小さいもの、特に排水管内に封水筒を装入する形態では、トラップ形成機構が挟隘部分に納められるために排水流路が十分確保できないので、洗濯機から排出される水は洗濯槽に多量の水が溜まっている場合には、かなりの水圧を伴って排水されるため、溢流・漏水現象が多発し床面上に防水パンなどが必要となり不経済で体裁も悪い。しかも、洗濯の際に生ずる糸くずなどその他のごみ類が流路に詰って水捌けが悪くなるし、掃除をも頻繁にしなくてはならない問題もあった。
【０００４】
本発明は、これら従来の不便さを排除しようとするもので、トラップ機構を有する封水筒体が開放型で、排水管内に装備でき、かつ排水管内に装備しても排水流路を十分に確保できごみ類の詰り現象がなく、特に排水中の糸くずや髪毛などのごみ類の引掛かりがなく、排水トラップ機能をも十分に発揮できるし、洗濯機の排水ホースと接続して封水筒体が連結され、排水口の床面開口部を覆う蓋体に着脱自在に保持するので、配管接続作業が簡単で施行工事も簡便で汎用性に富み、しかも床面に排水トラップの蓋体をネジ止めしてもこの床取付けネジ部はパンキングホルダーによって覆われてネジ部のいやなゴミ溜まりがなく体裁良好で外観品位も高められ手入れも簡単であり、緩み止めが確実で水漏れ現象もなく安全性を大巾に高めることができるし、洗濯機の排水の際に排水量が増加しても外部に溢れることなく水密状態を保って確実に排出できると共に、下流側からの臭気の逆流も確実に止めて安全に用いられる排水トラップを提供することを目的としている。
【０００５】
【課題を解決するための手段】
本発明は、床面に取り外し可能に備えられて、床面開口部を覆う蓋体に、床面開口部に嵌挿される排水管が連結される排水管接続部と、洗濯機排水ホースがホースジョイントを介して連結されるホース接続部とを設け、該ホース接続部に形成した係合部に前記蓋体を覆うパッキンホルダーを着脱自在に螺合して、前記蓋体とホースジョイントとを被覆一体化すると共に、蓋体の排水管接続部と前記ホースジョイントとに嵌挿保持される上面開放で有底の封水筒体が排水管内に配備され、該封水筒体の内部を入口側流路と出口側流路とに区画する仕切片を有底側に流水用の連通開口を形成して垂下配備され、前記出口側流路の封水筒体の周壁上方位置に流出口を形成した構成の排水トラップとしてある。
【０００６】
本発明の請求項１記載の発明によれば、前記蓋体とパッキンホルダーとの接合対面位置に凹凸面部よりなるロック機構を設けて係止結合した構成としたもので、蓋体とホースジョイントとの間にシールラバーリングのシール部材を介在配備した構成としているので、床面に排水トラップの蓋体をネジ止めしてもこの床取付けネジ部は覆われてネジ部のいやなゴミ溜まりがなく体裁良好で外観品位も高められ手入れも簡単であり、緩み止めが確実で水漏れ現象もなく安全性を大巾に高めることができるし、蓋体にパッキンホルダーが取付けられて締め付けるとロック機構で係止固定され緩み止めとなると共に、排水管路内での高流速の維持が確実にできてごみ詰り現象がなく安全に用いられ、しかもホースジョイント、封水筒体のトラップ形成体が着脱自在なので、排水口からホースジョイント、トラップ形成体となる封水筒体を取り外して清掃することが容易に可能である。
【０００７】
また、本発明の請求項１または２に記載の排水トラップによれば、前記封水筒体が、カップ状のトラップ本体であって、前記蓋体に形成された環状筒部の内方張出のフランジに嵌挿係止され、封水筒体上端の内外周面にホースジョイントを嵌合圧接配備されることで、排水管路内への排水もスムーズで水密状態をも確実に保って排水でき、漏水防止に寄与するし、さらに前記ホースジョイントが、エルボ管体で一端口部は前記ホース接続部に嵌挿され、かつ他端口部は洗濯機排水ホースに嵌挿される構成とし、エルボ管体外周に前記パッキンホルダーに圧接される円錐状のフランジ部を突設したことで、緩み止めが確実で水漏れ現象もなく安全性を大巾に高めることができる。
【０００８】
さらに、本発明の請求項３または４に記載の排水トラップによれば、前記蓋体が、蓋体の排水管接続部に嵌装保持される大径筒部の上縁に外方張出フランジを有し、かつ傾斜壁からなるテーパー筒部を介して、小径筒部を一体成形した異径ソケットを付設して排水管に流水用隙間をあけて嵌合配備したことにより、排水管路内での入口側流路と出口側流路とで高流速の維持が確実にできてごみ詰り現象がなく安全に用いられ、しかも異径ソケットの介在で異径排水管への工事施工が簡単に対応でき、低コストで手入れも簡単に行うことができる。
【０００９】
本発明の請求項５乃至請求項７に記載の排水トラップでは、前記蓋体の排水管接続部の開口端外周にソケットを介して排水管を嵌合連結し、該排水管内に流水用の隙間をあけて、カップ状の封水筒体を垂下状態で前記蓋体の環状筒部に嵌挿係止されているので、ホースジョイント、封水筒体のトラップ形成体が着脱自在なので、排水口からホースジョイント、トラップ形成体を取り外して清掃することが容易に可能であり、異径排水管への対応も容易にでき施行工事も低コストで手入れも簡単であって、臭気の逆流防止の排水トラップ機能を十分発揮できると共に、排水流路の確保も充分とれて排水管路内での安全性を高められる。
また前記蓋体を覆うパッキンホルダーが、中央にホースジョイントの嵌合孔を有し、周囲外方に張り出したカバーを備えた中空円筒体からなり、すべり防止用の凹凸面からなる回動操作部を外側に設け、シール面部のある筒部にスリットとネジ部とを備えたことで、緩み止めが確実で水漏れ現象もなく用いられると共に、蓋体の取付ネジ部その他周辺部を覆ってカバーするため、蓋体上部の化粧回しとなりネジ部のゴミ溜まりもなく体裁良好に用いられ信頼性と外観品位を大巾に高めることができる。
【００１０】
【発明の実施の形態】
以下、本発明の実施の形態を図面を参照して説明する。
この実施の形態における排水トラップは、図１乃至図８に示すように、床面Ａの床面開口部Ｂを覆い床面上に載置固定され、排水管Ｃに連結されるリング状の蓋体１にホース接続部２と排水管接続部３とを備え、該ホース接続部２に一端口部４が嵌挿され、かつホース止めリング５１  を外周に突設した他端口部５に洗濯機排水ホースＤが嵌挿されるホースジョイント６が接続され、該ホースジョイント６の外周部に挿入され、かつ前記蓋体１の補助排水管接続部３１  に嵌装保持される封水筒体８が排水管Ｃ内に上面開放で配備され、また前記排水管接続部３が異径ソケット７を介して排水管Ｃに嵌挿配備される。
この封水筒体８は、前記排水管接続部３の内周側に直接嵌合してもよいが、図１のように補助排水管接続部３１  の内周側に張出した内方張出のフランジ３２  に保持筒部８３  の外周側面の段差部８４  を嵌挿係止して排水管Ｃ内に連結配備されてもよく、該封水筒体８の内部を入口側流路８１  と出口側流路８２  とに区画する仕切片９が有底側に流水用の連通開口１０を形成して垂下配備され、前記出口側流路室８２  の封水筒体８の周壁上方位置に流出口１１を形成した構成のトラップ本体としてある。
【００１１】
また、床面Ａに取り外し可能に備えられて床面開口部を覆う蓋体１には、ホース接続部２に形成した係合部１５、例えばネジ部或いは凹凸係合部などにパッキンホルダー１２を着脱自在に螺合或いは係合して、前記蓋体１とホースジョイント６とを被覆一体化すると共に、パッキンホルダー１２に外方に張り出したカバー１２３  で前記蓋体１に設けた取付孔１４の上方を覆うようにしてあり、さらに前記蓋体１とパッキンホルダー１２との接合対面位置に凹凸面部２１，２２よりなるロック機構を設けて係止結合できる構成としたもので、蓋体１とホースジョイント６との間にシールラバーリングのシール部材２３を介在配備して臭気や排水の漏れが確実に防止できるようになっている。
【００１２】
この排水トラップにおいて、前記蓋体１に接続されるホースジョイント６は、エルボ管体で一端口部４が前記ホース接続部に嵌挿され、かつ他端口部５が洗濯機排水ホースに嵌挿される構成とし、エルボ管体外周に前記パッキンホルダー１２に圧接される円錐状のフランジ部１６を突設してあり、前記パッキンホルダー１２をねじ込んで固定する際に、環状の嵌入溝１６１  を前記封水筒体８の保持筒部８３  に圧入嵌挿し、かつ、フランジ部１６の下面で前記シール部材２３を蓋体１に圧着して水漏れ、ガス漏れがないように安全にセットされる。
【００１３】
さらに前記蓋体１には、蓋体１の排水管接続部３または補助排水管接続部３１  に嵌装保持され、かつ上縁に外方張出フランジ７４  を有する大径筒部７１  に傾斜壁からなるテーパー筒部７３  を介して、小径筒部７２  を一体成形した異径ソケット７を必要に応じ付設して、大小径の排水管Ｃに対応して連結接続できるようにして、該排水管Ｃ内に流水用の隙間をあけて、カップ状の封水筒体８が垂下状態で嵌合配備でき組立て分解が容易にできるようにしてある。
【００１４】
この排水トラップにおいて、前記封水筒体８としては、カップ状のトラップ本体であって、前記蓋体１に形成され前記た環状筒部の補助排水管接続部３１  の内方張出のフランジ３２  に嵌挿係止されるが、封水筒体上端の保持筒部８３  の内外周面にホースジョイント６の嵌入溝１６１  を嵌合して圧接配備され、かつ保持筒部８３  の外周に段差部８４  を設けて、該段差部８４  を前記フランジ３２  に嵌挿係止して排水管Ｃ内に流水用の隙間をあけて、カップ状の封水筒体８が垂下状態で簡単に嵌合配備できる。
【００１５】
この場合、前記封水筒体８の内部を入口側流路８１  と出口側流路８２  とに区画する仕切片９は、封水筒体８に一体に成形されている仕切壁としてあるが、分離できる仕切片９として用い上方に外方に張り出す取り付け用の環状フランジ（図示せず）を設けた形態のもの、例えばスロートを前記保持筒部８３  の上方から嵌挿配備して、底部に連通開口１０を形成して垂下配備することもできる。また、前記仕切片９の下端縁は丸みを付けた曲面（断面円弧状）に形成するか、或いは下流側に湾曲した誘導曲面を持った下端部として、排水中の糸くずやその他細い長ものが引っ掛かったり、絡みつかないように配慮するのがよく、さらに仕切片９の下端縁も直線状に限らず、底部の形状例えば、水平状或いは球面状の底部の形状に沿った連通開口１０の形状と大きさになるようにし、流過する排水に与える抵抗を小さくすることができるし、流路内の流れが反転流過してスムーズになるように考慮するのがよい。
【００１６】
なお、前記封水筒体８の周壁上方位置に形成した流出口１１は、封水筒体８の周壁の略半周に所定高さの寸法（封水量を確保できる高さ）で上方を開口したものとし、排水量も減ずることなく、排水流路の確保も充分とれて排水作業に支障がないようにしてある。
そして、蓋体１の下部に垂下配備される前記封水筒体８は、排水管Ｃ内で封水筒体８の外周部と下部とに流水用の隙間あけて配備され、前記蓋体１にゴムパッキンなどのシール部材２３を介して、ホースジョイント６が嵌合接続され、着脱自在の前記パッキンホルダー１２によって締着される。
前記蓋体１のホース接続部２に形成した係合部１５例えばネジ部に前記蓋体１を覆うパッキンホルダー１２を着脱自在に螺合して、前記蓋体１とホースジョイント６とを被覆一体化する際に、前記蓋体１とパッキンホルダー１２との接合対面位置に設けたロック機構例えば、歯形面、ギザ面或いは凹凸面部２１，２２により係止結合するのがよく、該パッキンホルダー１２の外方に張り出したカバー１２３  を前記蓋体１に設けた取付孔１４の上方を覆うようにして、蓋体１を直接床面Ａにねじ止めし、或いは環状のシール部材２４を介して床面Ａにねじ止めしても、この床取付けネジ部はパッキンホルダー１２によって覆われてネジ部へのゴミ溜まりがなく体裁良好で外観品位も高められる。
【００１７】
【実施例】
本発明の実施例では、床面Ａの開口部Ｂに嵌合された円板状の前記蓋体１は、板面に取付孔１４を適宜設け、板面中央下部に設けた排水管接続部３の開口端に配水管Ｃを連結し、補助排水管接続部３１  に設けたフランジ３１  に封水筒体８の保持筒部８３  を嵌支してあり、該保持筒体８３  の開口端を前記ホースジョイント６の嵌入溝１６１  に嵌挿圧接保持してあって、配水管Ｃ内において該封水筒体８の外周部と下部とに流水用隙間をあけて封水筒体８が垂下配備される。
この封水筒体８中に区画される入口側流路８１  と出口側流路８２  とに区画する仕切片９が有底側に流水用の連通開口１０を形成して垂下配備され、前記出口側流路室８２  の封水筒体８の周壁上方位置に流出口１１を形成した構成のトラップ本体としてあり、前記パッキンホルダー１２によって、前記ホースジョイント６と封水筒体８とを蓋体１に封水密着配備して水密性を維持できる。（図１及び図２）
【００１８】
前記蓋体１は、耐衝撃性、耐腐性、および耐熱性などに優れたＡＢＳ樹脂などで円板状に成形され、開口部Ｂを覆い床面Ａにねじによって固着できる複数の取付孔１４（本実施形態では３個）が周方向に間隔をおいて穿設されている。この蓋体１の上面部には筒状のホース接続部２が一体的に突出成形され、かつ蓋体１の下面部には排水管接続用の外側筒部からなる排水管接続部３及び補助排水管接続部３１  が垂下して一体的に突出成形されている。これらホース接続部２と排水管接続部３，３１  とは、最も多用されるパイプ状の排水管Ｃ又はホースジョイント６とが接続可能なように同心的に突設され、ホース接続部２の内周面にパッキンホルダー１２の係合部１５が、また補助排水管接続部３１  の内周面にはフランジ３２  がそれぞれ形成されている。（図３）
【００１９】
即ち、この排水管接続部３の外周面に前記排水管Ｃが嵌装され、補助排水管接続部３１  の内周面には前記封水筒体８の保持筒部８３  とが重なって嵌合され、フランジ３２  によって、垂下状態で同心的に着脱自在に保持され、排水管Ｃ内に排水トラップとして嵌挿支持して用いられる。（図１）
【００２０】
前記ホースジョイント６としては、図５に示す如く前記蓋体１に嵌合する円環状のフランジ部１６を備えた筒体６１  の一端口部４と、フランジ部１６の中心孔にホース受けパイプの他端口部５を形成してエルボ管体とすると共に、フランジ部１６の下面にシールリングなどのシール部材２３の嵌合凹溝を設け、かつ上面にスペーサ或いはＯリングなどを乗せられるテーパー部或いは嵌合段部を設け、該テーパー部に嵌装されたパッキンホルダー１２によって、蓋体１のホース接続部２に着脱自在に圧接保持できるようにしてある。（図１及び図２）
【００２１】
この場合、エラストマーなどの軟性樹脂からなるエルボ管体を用いた前記ホースジョイント６は、回動操作部１７と、ネジ部１８及びスリット１３のあるシール面部１９とを備えたパッキンホルダー１２（図４）で、蓋体１に締め付けることにより、ホースジョイント６の蓋体１に相対するフランジ部１６が押し付けられるので、水密に保った状態で強固に接続することができる。
このように、前記ホースジョイント６を中空円筒状のパッキンホルダー１２を介して着脱自在に蓋体１に保持するので、施行工事も簡便で汎用性に富み、しかもパッキンホルダー１２を回動して締めつけると、封水筒体８の保持筒部８３  の開口端が環状の嵌合溝１６１  に圧入され、かつホースジョイント６のフランジ部１６のテーパー面（肩部の段付面）に押しつけられて水密保持を確実化できるほか、パッキンホルダー１２を締め付けたり、弛めたりしてホースジョイント６の着脱が簡便にできる。
【００２２】
前記封水筒体８は、軽量性、耐熱性に優れたＰＰ樹脂などで、カップ状の湾曲有底円筒形に成形され、その周面上部に開口を有し、封水筒体８の内部を入口側流路８１  と出口側流路８２  とに区画する仕切片９が有底側に流水用の連通開口１０を形成して垂下配備され、前記出口側流路８２  の封水筒体８の周壁上方位置に流出口１１を形成した構成のトラップ本体として備えられ、前記排水管Ｃに嵌装保持されて用いられる。（図６）
【００２３】
また、前記封水筒体８の底部に湾曲部を形成することにより排水の流れに溜まりや衝突をできるだけなくして、より良い排水の流れを形成することができる。
この封水筒体８は、封水筒体８の周壁上方位置に広く開いた開放型の流出口１１を形成したので、該流出口１１からオーバーフローして噴出された水流は、排水管Ｃ内に封水筒体８で構成される仕切片９で区画される入口側流路８１  と出口側流路８２  との空間周辺を中心に強い乱れを伴なう反転流を形成することとなり、この形式の流れ場は広い範囲の乱れをもっていて、特に比較的規模の大きな巻き込み流を発生させることができるため、封水筒体８の壁付近の流速は激しく外周方向に誘導されて、洗剤等の管壁への付着を防げる効果をもつほか、下流の半径方向流速分布にも影響を与え、流路が縮小している流れ場においては、縮小している側（この場合には、円心円外側方向）の流速も増大し、この結果、その下流部においても管壁近傍の高流速が維持されて管内流を形成し、管路流の閉塞現象やごみ詰り現象の発生がなく有効に用いられる。
【００２４】
さらに、前記封水筒体８には、貯留水中に漬かる仕切片９によるトラップ形成体によりトラップ機能を備えるが、仕切片９に代えて、必要に応じトラップ形成体のスロートによってトラップ機能を持たせる構成にしてもよい。
【００２５】
前記ホースジョイント６の固定用のパッキンホルダー１２としては、図４に示すように、中央にホースジョイント６の嵌合孔１２１  を有し、周囲外方に張り出したカバー１２３  を備えた中空円筒体からなり、すべり防止用の凹凸面からなる回動操作部１７を外側に設け、またシール面部１９のある筒部１２２  にスリット１３と、ネジ部１８とを備えてあるので、前記蓋体１に封水筒体８を嵌入したのち、シール部材２３を介してホースジョイント６の一端開口４と接続し、前記蓋体１を覆うパッキンホルダー１２を装着すれば、前記封水筒体８からなるトラップ形成体を容易に組み入れセットすることができるし、緩み止めが確実で水漏れ現象もなく用いられると共に、カバー１２３  によって蓋体１の取付ネジ部の取付孔１４その他周辺部を覆ってカバーするため、蓋体上部の化粧回しとなりネジ孔のゴミ溜まりもなく体裁良好に用いられる。
【００２６】
なお、前記蓋体１に設けられる排水管接続部３として、排水管Ｃを嵌装保持する外側筒部と、前記封水筒体８の保持筒部８３  を嵌装保持する内側筒部とを突設して、異径パイプの排水管Ｃの場合に適用施工が容易にできるようにしてもよいし、排水管Ｃの内径が大きい場合にはＡＢＳ製の異径ソケット７を嵌合介在して蓋体１の排水管接続部３を嵌装した形態で用いてもよい。（図７）
この異径ソケット７としては、排水管接続部３または補助排水管接続部３１  に嵌装保持され、かつ上縁に外方張出フランジ７４  を有する大径筒部７１  に傾斜壁からなるテーパー筒部７３  を介して、小径筒部７２  を一体成形したものを用いるのがよく、大小径の排水管Ｃに対応して連結接続できるようにして、施工工事を簡便化できるようにしてある。
【００２７】
上記構成によれば、前記蓋体１の下面部から管径の異なる２種類の排水管接続部３および補助排水管接続部３１  があることになり、また必要に応じ異径ソケット７を付設することで、前記排水管Ｃの管径が大きい場合でも、小さい場合でも、排水管Ｃに適切に選択して接続することが可能である。したがって、この排水管Ｃの管径に応じて複数の排水トラップを用意する必要性が全くなく、これを通じて製造作業や施工作業の大幅な簡素化、効率化、および容易化などが期待できる。また、蓋体１がＡＢＳ樹脂などの合成樹脂で一体成形されているので、さびることがなく、清潔性を大いに維持することができるとともに、取扱いがきわめて容易となる。
【００２８】
また、前記蓋体１は、下部に筒状の排水管接続部３を備えた環状板からなり床面Ａにネジ止めされることにより、蓋体１で排水口となる床面開口部Ｂが覆われて床面Ａに固定される。
これら実施例において、前記蓋体１とホースジョイント６との間にシールラバーリングのシール部材２３を介在配備した場合、図８に示すようにシール部材１１の上下両面或いは片面のシール面に断面山形の突条２０を間隔をおいて複数配列してシール性を高めたことや、各接続部には必要に応じ段差部を形成してシール性を適確化すること、排水配管系ではテーパー部を介在させて流過性を円滑化することが配慮される。
【００２９】
図１或いはその他例のいずれの例でも、洗濯機に排水トラップを取り付けるには、まず、床面Ａに設けられた排水管Ｃの管径を確認し、蓋体１の排水管接続部３に排水管Ｃを固着接続する。次いで、床面に蓋体１を複数の取付孔１４からビスで固着し、排水管接続部３にトラップとなる封水筒体８を嵌入垂下させる。
そして、前記蓋体１にホースジョイント６をシール部材２３を介して上方から嵌合しパッキンホルダー１２によって定着し、ホースジョイント６の他端開口５のホース受けパイプに洗濯機のホースＤを挿入接続すれば、排水トラップの施工作業を終了することができる。
【００３０】
このような状態で洗濯機のホースＤから汚水が流れてくると、この汚水はホースジョイント６から封水筒体８を経て仕切片９で区画されている入口側流路８１  から流下して連通開口１０で反転流過して出口側流路８２  に至り、封水筒体８の周壁上方位置にある流出口１１より排水管Ｃに流出する。なお、この排水管Ｃを経由してくる悪臭は、前記パッキンホルダー１２でシールされ前記封水筒体８に貯えられた汚水のトラップ作用により、排水筒体８からなるトラップ形成体に流れ込むのを確実に抑制防止されると共に、前記蓋体１を覆うパッキンホルダー１２が装着されれば、前記封水筒体８からなるトラップ形成体を容易に組み入れセットすることができるし、緩み止めが確実で水漏れ現象もなく用いられると共に、カバー１２３  によって蓋体１の取付ネジ部の取付孔１４その他周辺部を覆ってカバーするため体裁良好に用いられる。
【００３１】
【発明の効果】
本発明は、床面に取り外し可能に備えられて、床面開口部を覆う蓋体に、床面開口部に嵌挿される排水管が連結される排水管接続部と、洗濯機排水ホースがホースジョイントを介して連結されるホース接続部とを設け、該ホース接続部に形成した係合部にパッキンホルダーを着脱自在に備えて前記蓋体とホースジョイントとを被覆一体化すると共に、蓋体の排水管接続部と前記ホースジョイントとに嵌挿保持される上面開放で有底の封水筒体が排水管内に配備され、該封水筒体の内部を入口側流路と出口側流路とに区画する仕切片が有底側に流水用の連通開口を形成して垂下配備され、前記出口側流路の封水筒体の周壁上方位置に流出口を形成したことにより、トラップ機構を有する封水筒体が開放型で、排水管内に装備でき、かつ排水管内に装備しても排水流路を十分に確保できごみ類の詰り現象がなく、特に排水中の糸くづ髪毛などのごみ類の引掛かりがなく、排水トラップ機能をも十分に発揮できるし、洗濯機の排水ホースと接続して封水筒体が連結され、排水口の床面開口部を覆う蓋体に着脱自在に保持するので、配管接続作業が簡単で施行工事も簡便で汎用性に富み、しかも床面に排水トラップの蓋体をネジ止めしても、この床取付けネジ部はパンキングホルダーによって覆われてネジ孔部でのいやなゴミ溜まりがなく、体裁良好で外観品位も高められ手入れも簡単であり、緩み止めも確実で水漏れ現象もなく安全性を大巾に高めることができるし、洗濯機の排水の際に排水量が増加しても外部に溢れることなく水密状態を保って確実に排出できると共に、下流側からの臭気の逆流も確実に止めることができる。
【００３２】
本発明では、トラップ機構を有する封水筒体が排水管内において、封水筒体で構成される空間周辺を中心に強い乱れを伴なう反転流を形成することとなり、この形式の流れ場は広い範囲の乱れをもっていて、比較的規模の大きな巻き込み流を発生させることができるため、封水筒体の壁付近の流速は激しく外周方向に誘導されて、洗剤等の管壁への付着を防げる効果をもつほか、下流の半径方向流速分布にも影響を与え、流路が縮小してる流れ場においては、縮小している側の流速も増大し、この結果、封水筒部以降の下流部の出口側流路においても管壁近傍の高流速が維持され管内施回流を形成して、管路流の閉塞現象の発生がなく有効に用いられ、清掃作業を頻繁にする必要がなく取扱い安全な排水トラップを安価に製造することができるなどの効果もある。
【００３３】
また、本発明では蓋体に該蓋体を覆うパッキンホルダーが取付けられて締め付けられると、ロック機構で係止固定され緩み止めとなると共に、蓋体の取付ネジ部その他周辺部を覆ってカバーするため、蓋体の化粧回しとなりネジ部のゴミ溜まりもなく体裁良好に用いられるほか、トラップ機構を有する封水筒体が排水管内に納められて装備でき、かつ排水口の床面開口部を覆う蓋体に着脱自在に保持するので、配管内の点検、清掃作業が楽くにできるし、しかも異径ソケットの介在で異径排水管への工事施工が簡単に対応でき、低コストで手入れも簡単に行うこともできる。
さらに本発明では、前記蓋体とホースジョイントとの間にシールラバーリングのシール部材を介在配備し、かつ該シール部材のシール面に断面山形の突条を間隔をおいて配列したことと、前記ホースジョイントが、エルボ管体で管体外周に前記パッキンホルダーに圧接される円錐状のフランジ部を突設したことで封水性を高め漏水防止に寄与し、臭気の逆流洩れもなく安全に用いられるし、排水ホースの締着緩み止めが確実で水漏れ現象もなく保守保安の容易化をはかることができる。
【図面の簡単な説明】
【図１】本発明に係る排水トラップを使用した状態を示す縦断面図である。
【図２】図１の例の分離状態を示す斜視図である。
【図３】図１の例の蓋体を示し、（ａ）はその平面図、（ｂ）はその縦断面図である。
【図４】図１の例のパッキンホルダーを示し、（ａ）はその平面図、（ｂ）はその縦断面図である。
【図５】図１の例のホースジョイントを示し、（ａ）はその側面図、（ｂ）はその縦断面図、（ｃ）はａ−ａ線における拡大縦断面図である。
【図６】図１の例の封水筒体を示し、（ａ）はその平面図、（ｂ）はその縦断面図、（ｃ）は正面図である。
【図７】図１の例で用いられる異径ソケットの一例を示し、（ａ）はその一部断面側面図、（ｂ）はその底面図である。
【図８】
図１の例で用いられるのシール部材の一例を示し、（ａ）はその平面図、（ｂ
）はその一部切断側面図である。
【符号の説明】
Ａ    床面
Ｂ    床面開口部
Ｃ    排水管
Ｄ    排水ホース
１    蓋体
２    ホース接続部
３    排水管接続部
３１    補助排水管接続部
３２    フランジ
４    一端口部
５    他端口部
５１    ホース止めリング
６    ホースジョイント
６１    筒体
７    異径ソケット
７１    大径筒部
７２    小径筒部
７３    テーパー筒部
７４    フランジ
８    封水筒部
８１    入口側流路
８２    出口側流路
８３    保持筒部
８４    段差部
９    仕切片
１０    連通開口
１１    流出口
１２    パッキンホルダー
１２１    嵌合孔
１２２    筒部
１２３    カバー
１３    スリット部
１４    取付孔
１５    ネジ部
１６    フランジ部
１６１    嵌合溝
１７    回動操作部
１８    ネジ部
１９    シール面部
２０    突条
２１，２２  凹凸面部
２３，２４    シール部材
【図１】
2004244981.tif 000003
【図２】
2004244981.tif 000004
【図３】
2004244981.tif 000005
【図４】
2004244981.tif 000006
【図５】
2004244981.tif 000007
【図６】
2004244981.tif 000008
【図７】
2004244981.tif 000009
【図８】
2004244981.tif 000010